(57)【要約】【課題】使用する方向の自由度が高い小型表示装置を提供すること。【解決手段】電子情報に基づいて表示を行なう情報表示部１５２と、少なくとも情報表示部１５２からの光を反射または透過する光学素子１１３と、情報表示部１５２と光学素子１１３とを支持するため、または支持を解除するための各係合部１１１ａ、１１１ｂ、１１１ｃ、１１１ｄ、各開閉部１５１ａ、１５１ｂ、１５１ｃ、１５１ｄとを有し、各係合部と各開閉部とは、情報表示部１５２と光学素子１１１３とにおいて、第１の位置と第１の位置とは異なる第２の位置との少なくとも２箇所に設けられていることを特徴とする。【選択図】        図１
2006119167.tif 000002
【特許請求の範囲】
【請求項１】
電子情報に基づいて表示を行なう情報表示部と、
少なくとも前記情報表示部からの光を反射または透過する光学素子と、
前記情報表示部と前記光学素子とを支持するため、または支持を解除するための脱着部とを有し、
前記脱着部は、前記情報表示部と前記光学素子とにおいて、第１の位置と前記第１の位置とは異なる第２の位置との少なくとも２箇所に設けられていることを特徴とする小型表示装置。
【請求項２】
前記脱着部は、前記情報表示部と前記光学素子とに関して、対向する方向に設けられていることを特徴とする請求項１に記載の小型表示装置。
【請求項３】
前記脱着部は、さらに、前記対向する方向に略直交する方向に設けられていることを特徴とする請求項２に記載の小型表示装置。
【発明の詳細な説明】
【技術分野】
【０００１】
本発明は、小型な表示装置、特に使用する方向の自由度が高い小型表示装置に関するものである。
【背景技術】
【０００２】
近年、一人の人間が複数のコンピュータを使用するネットワーク社会、いわゆるユビキタス・ネットワーク社会が提唱されている。ユビキタス・ネットワーク社会では、インターネット等の情報ネットワークに、いつでも、どこからでもアクセスできる環境が実現できる。このようなアクセスに使う情報端末は、パソコンに限られず、例えば携帯電話等も用いることができる。
【０００３】
また、携帯電話も通話とディスプレイ認識とを同時に行なえる表示機能付き携帯情報装置としての構成が提案されている（例えば、特許文献１参照。）。特許文献１に開示されている構成では、小型のディスプレイをホログラム素子により遠方に拡大投影する。これにより、例えば通話をしながら表示画像情報を見ることができる。さらに、ホログラム素子を介して遠方の物体の透過像を同時に観察できる。この表示機能付き携帯情報装置は、実視野の像に重畳させてデジタル情報を表示する、いわゆるシースルービュアー（ｓｅｅ−ｔｈｒｏｕｇｈ  ｖｉｅｗｅｒ）として用いることができる。
【０００４】
【特許文献１】特開２００１−３０８９９７号公報
【発明の開示】
【発明が解決しようとする課題】
【０００５】
上記従来技術の携帯情報装置は、使用者が把持する位置が予め略決まっている。例えば、携帯情報装置が右利き用に設計されているとき、左利きの使用者は、使用の際に非常に持ち難さを感じる。また、右利き、左利きとは無関係に、使用者が携帯用情報装置を任意の位置で把持したとき、シースルービュアーとして用いるためには、予め決められた位置にあらためて持ち直す必要がある。このように、従来技術の携帯情報装置は、使用者が、任意の持ち方をしたとき、そのままの位置で使用することは困難である。
【０００６】
本発明は、上記に鑑みてなされたものであって、使用する方向の自由度が高い小型表示装置を提供することを目的とする。
【課題を解決するための手段】
【０００７】
上述した課題を解決し、目的を達成するために、本発明によれば、電子情報に基づいて表示を行なう情報表示部と、少なくとも情報表示部からの光を反射または透過する光学素子と、情報表示部と光学素子とを支持するため、または支持を解除するための脱着部とを有し、脱着部は、情報表示部と光学素子とにおいて、第１の位置と第１の位置とは異なる第２の位置との少なくとも２箇所に設けられていることを特徴とする小型表示装置を提供できる。
【０００８】
また、本発明の好ましい態様によれば、脱着部は、情報表示部と光学素子とに関して、対向する方向に設けられていることが望ましい。
【０００９】
また、本発明の好ましい態様によれば、脱着部は、さらに、対向する方向に略直交する方向に設けられていることが望ましい。
【発明の効果】
【００１０】
本発明に係る小型表示装置は、情報表示部と光学素子とを有している。使用者は、光学素子を反射または透過した光により、情報表示部に表示されている情報を認識できる。そして、情報表示部と光学素子とは脱着部により支持されている。脱着部は、情報表示部と光学素子とを支持することに加えて、情報表示部と光学素子との支持を解除する機能を兼用する。このため、支持を解除された脱着部の位置では、情報表示部と光学素子とは自由に動かすことができる。本発明では、脱着部は、少なくとも第１の位置と第２の位置との異なる２箇所に設けられている。例えば、第１の位置の脱着部で支持し、かつ第２の位置の脱着部で支持を解除する。これにより、光学素子は、情報表示部に対して、第１の位置で支持された状態で動くことができる。また、第１の位置の脱着部で支持を解除し、かつ第２の位置の脱着部で支持する。これにより、光学素子は、情報表示部に対して、第２の位置で支持された状態で動くことができる。さらに、第１の位置の脱着部で支持し、かつ第２の位置の脱着部でも支持する。これにより、光学素子は、情報表示部に対して、第１の位置と第２の位置とで支持された固定の状態となる。このように、少なくとも２箇所の脱着部のいずれか一方を支持状態、他方を支持解除状態とすることができる。このため、本小型表示装置は、予め決められている使用方向に限定されることがない。この結果、本発明に係る小型表示装置によれば、使用する方向の自由度が高いという効果を奏する。
【発明を実施するための最良の形態】
【００１１】
以下に、本発明に係る小型表示装置の実施例を図面に基づいて詳細に説明する。なお、この実施例によりこの発明が限定されるものではない。
【実施例１】
【００１２】
図１は、実施例１に係る小型表示装置１００の斜視構成を示す。図２は、小型表示装置１００を光学素子１１３の方向から見た正面構成を示す。小型表示装置１００は、光学素子１１３と情報表示部１５２（図３参照）とを有する。情報表示部１５２は、電子情報に基づいて表示を行なう。情報表示部１５２は、液晶表示パネルや有機ＥＬパネルを用いることができる。情報表示部１５２は、表示部ハウジング１５０内に形成されている。また、光学素子１１３は、少なくとも情報表示部１５２からの光を反射する。光学素子１１３として、ホログラム素子、ハーフミラーを用いることができる。光学素子１１３は、光学素子ハウジング１１０内に形成されている。
【００１３】
光学素子ハウジング１１０と表示部ハウジング１５０とは、共に外形形状が矩形で略同一の大きさである。図１は、光学素子ハウジング１１０と、表示部ハウジング１５０とを略密着させて、小型表示装置１００を閉じている状態を示す。小型表示装置１００を使用するときは、後述する開いた状態にする。表示部ハウジング１５０の一辺には、第１開閉部１５１ａが形成されている。また、閉じた状態で光学素子ハウジング１１０の対応する一辺には、第１開閉部１５１ａと係合する位置に第１係合部１１１ａが形成されている。係合する機構については、後述する。第１係合部１１１ａと第１開閉部１５１ａとで脱着部を構成する。第１係合部１１１ａと第１開閉部１５１ａとは、係合することで光学素子ハウジング１１０と表示部ハウジング１５０とを支持する。これに対して、第１係合部１１１ａと第１開閉部１５１ａとは、係合を解除することで、光学素子ハウジング１１０と表示部ハウジング１５０との支持が解除される。
【００１４】
図２に示すように、表示部ハウジング１５０の他の一辺には、第２開閉部１５１ｂが形成されている。また、光学素子ハウジング１１０の対応する一辺には、第２開閉部１５１ｂと係合する位置に第２係合部１１１ｂが形成されている。第２係合部１１１ｂと第２開閉部１５１ｂとで脱着部を構成する。第２係合部１１１ｂと第２開閉部１５１ｂとは、係合することで光学素子ハウジング１１０と表示部ハウジング１５０とを支持する。これに対して、第２係合部１１１ｂと第２開閉部１５１ｂとは、係合を解除することで、光学素子ハウジング１１０と表示部ハウジング１５０との支持が解除される。
【００１５】
表示部ハウジング１５０のさらに他の一辺には、第３開閉部１５１ｃが形成されている。また、光学素子ハウジング１１０の対応する一辺には、第３開閉部１５１ｃと係合する位置に第３係合部１１１ｃが形成されている。第３係合部１１１ｃと第３開閉部１５１ｃとで脱着部を構成する。第３係合部１１１ｃと第３開閉部１５１ｃとは、係合することで光学素子ハウジング１１０と表示部ハウジング１５０とを支持する。これに対して、第３係合部１１１ｂと第３開閉部１５１ｂとは、係合を解除することで、光学素子ハウジング１１０と表示部ハウジング１５０との支持が解除される。
【００１６】
同様に、表示部ハウジング１５０の残りの一辺には、第４開閉部１５１ｄが形成されている。また、光学素子ハウジング１１０の対応する一辺には、第４開閉部１５１ｄと係合する位置に第４係合部１１１ｄが形成されている。第４係合部１１１ｄと第４開閉部１５１ｄとで脱着部を構成する。第４係合部１１１ｄと第４開閉部１５１ｄとは、係合することで光学素子ハウジング１１０と表示部ハウジング１５０とを支持する。これに対して、第４係合部１１１ｄと第４開閉部１５１ｄとは、係合を解除することで、光学素子ハウジング１１０と表示部ハウジング１５０との支持が解除される。
【００１７】
図２に示すように、第１係合部１１１ａ、第１開閉部１５１ａからなる脱着部は、情報表示部１５２と光学素子１１３とに関して、第３係合部１１１ｃ、第３開閉部１５１ｃからなる脱着部に対して対向する位置に設けられている。同様に、第２係合部１１１ｂ、第２開閉部１５１ｂからなる脱着部は、情報表示部１５２と光学素子１１３とに関して、第４係合部１１１ｄ、第４開閉部１５１ｄからなる脱着部に対して対向する位置に設けられている。換言すると、第２係合部１１２ｂと第４係合部１１２ｄとは、第１係合部１１２ａと第３係合部１１２ｃとが対向する方向に、略直交する方向に設けられている。
【００１８】
また、光学素子ハウジング１１０の表示部ハウジング１５０とは反対側の面には、４つの開閉ボタンが設けられている。第１係合部１１１ａ近傍には第１開閉ボタン１１２ａが形成されている。第２係合部１１１ｂ近傍には第２開閉ボタン１１２ｂが形成されている。第３係合部１１１ｃ近傍には第３開閉ボタン１１２ｃが形成されている。第４係合部１１１ｄ近傍には第４開閉ボタン１１２ｄが形成されている。
【００１９】
第１開閉ボタン１１２ａを押下したときの、脱着部の支持または支持解除の関係を表１に掲げる。なお、第１開閉ボタン１１２ａを押下したとき、各脱着部が支持または支持解除する詳細な機構については後述する。
【００２０】
（表１）
第１開閉ボタン１１２ａを押下したとき：
第１係合部１１１ａと第１開閉部１５１ａとの関係・・・支持解除
第２係合部１１１ｂと第２開閉部１５１ｂとの関係・・・支持解除
第３係合部１１１ｃと第３開閉部１５１ｃとの関係・・・支持
第４係合部１１１ｄと第４開閉部１５１ｄとの関係・・・支持解除
【００２１】
図３は、第１開閉ボタン１１２ａを押下したときの開閉状態を示す。図３に示すように、光学素子ハウジング１１０と表示部ハウジング１５０とは、第３開閉部１５１ｃと第３係合部１１１ｃとにより支持され、その他の脱着部の支持は解除される。そして、使用者ＯＢＳは、光学素子ハウジング１１０を図３の上方向に引き上げる。これにより、光学素子ハウジング１１０は、第３開閉部１５１ｃと第３係合部１１１ｃとで支持された状態で、表示部ハウジング１５０に対して開いた状態となる。
【００２２】
第２開閉ボタン１１２ｂを押下したときの、脱着部の支持または支持解除の関係を表２に掲げる。
【００２３】
（表２）
第２開閉ボタン１１２ｂを押下したとき：
第１係合部１１１ａと第１開閉部１５１ａとの関係・・・支持解除
第２係合部１１１ｂと第２開閉部１５１ｂとの関係・・・支持解除
第３係合部１１１ｃと第３開閉部１５１ｃとの関係・・・支持解除
第４係合部１１１ｄと第４開閉部１５１ｄとの関係・・・支持
【００２４】
図４は、第２開閉ボタン１１２ｂを押下したときの開閉状態を示す。図４に示すように、光学素子ハウジング１１０と表示部ハウジング１５０とは、第４開閉部１５１ｄと第４係合部１１１ｄとにより支持され、その他の脱着部の支持は解除される。そして、使用者ＯＢＳは、光学素子ハウジング１１０を図４の上方向に引き上げる。これにより、光学素子ハウジング１１０は、第４開閉部１５１ｄと第４係合部１１１ｄとで支持された状態で、表示部ハウジング１５０に対して開いた状態となる。
【００２５】
第３開閉ボタン１１２ｃを押下したときの、脱着部の支持または支持解除の関係を表３に掲げる。
【００２６】
（表３）
第３開閉ボタン１１２ｃを押下したとき：
第１係合部１１１ａと第１開閉部１５１ａとの関係・・・支持
第２係合部１１１ｂと第２開閉部１５１ｂとの関係・・・支持解除
第３係合部１１１ｃと第３開閉部１５１ｃとの関係・・・支持解除
第４係合部１１１ｄと第４開閉部１５１ｄとの関係・・・支持解除
【００２７】
図５は、第３開閉ボタン１１２ｃを押下したときの開閉状態を示す。図５に示すように、光学素子ハウジング１１０と表示部ハウジング１５０とは、第１開閉部１５１ａと第１係合部１１１ａとにより支持され、その他の脱着部の支持は解除される。そして、使用者ＯＢＳは、光学素子ハウジング１１０を図５の上方向に引き上げる。これにより、光学素子ハウジング１１０は、第１開閉部１５１ａと第１係合部１１１ａとで支持された状態で、表示部ハウジング１５０に対して開いた状態となる。
【００２８】
第４開閉ボタン１１２ｄを押下したときの、脱着部の支持または支持解除の関係を表４に掲げる。
【００２９】
（表４）
第４開閉ボタン１１２ｄを押下したとき：
第１係合部１１１ａと第１開閉部１５１ａとの関係・・・支持解除
第２係合部１１１ｂと第２開閉部１５１ｂとの関係・・・支持
第３係合部１１１ｃと第３開閉部１５１ｃとの関係・・・支持解除
第４係合部１１１ｄと第４開閉部１５１ｄとの関係・・・支持解除
【００３０】
図６は、第４開閉ボタン１１２ｄを押下したときの開閉状態を示す。図６に示すように、光学素子ハウジング１１０と表示部ハウジング１５０とは、第２開閉部１５１ｂと第２係合部１１１ｂとにより支持され、その他の脱着部の支持は解除される。そして、使用者ＯＢＳは、光学素子ハウジング１１０を図６の上方向に引き上げる。これにより、光学素子ハウジング１１０は、第２開閉部１５１ｂと第２係合部１１１ｂとで支持された状態で、表示部ハウジング１５０に対して開いた状態となる。
【００３１】
また、第１開閉ボタン１１２ａ〜第４開閉ボタン１１２ｄまでの４つのボタンのうち、２つ以上のボタンが同時に押下されたときは、支持の解除は行なわず、支持状態を維持する。このため、例えば、２つ以上の各開閉ボタンが誤って押下されたとき、使用者ＯＢＳが小型表示装置１００を開くことを防止できる。図３、４、５、６のいずれの状態においても、光学素子１１３は、情報表示部１５２からの光Ｌｐを使用者ＯＢＳの方向へ反射する。同時に、光学素子１１３は、物体ＯＢＪからの光Ｌｏｂを使用者ＯＢＳの方向へ透過する。これにより、光学素子１１３は、実視野において観察している物体ＯＢＪに重畳して、情報表示部１５２の情報を表示できる。なお、図６において、使用者ＯＢＳの視点が、物体ＯＢＪ側に位置する場合、光学素子１１３は、情報表示部１５２からの光Ｌｐを使用者ＯＢＳの方向へ透過し、かつ物体ＯＢＪからの光Ｌｏｂを使用者ＯＢＳの方向へ反射することになる。ただし、このような位置関係では、使用者ＯＢＳは、使用者ＯＢＳの側方に位置する物体ＯＢＪを観察することになる。
【００３２】
次に、第１開閉ボタン１１２ａを代表例にして、開閉ボタンを押下したときの、各開閉部と各係合部とが支持する機構、または支持解除する機構について説明する。図７は、第１係合部１１１ａと第１開閉部１５１ａとの近傍の断面構成を示す。第１係合部１１１ａは、円筒形状を有する。第１係合部１１１ａは、光学素子ハウジング１１０に固着されている。
【００３３】
また、同一形状の２つの第１開閉部１５１ａが、第１係合部１１１ａに対向するように形成されている。第１開閉部１５１ａは、表示部ハウジング１５０に固着されている。第１開閉部１５１ａは、筒部１５３とコイルばね１５４と先端部１５５とから構成されている。コイルばね１５４の一方の端部は、筒部１５３の内面に固着されている。コイルばね１５４の他方の端部には先端部１５５が固着されている。先端部１５５は、半球形状を有している。先端部１５５は、円筒形状の第１係合部１１１ａの中空部分に嵌り込むような直径を有している。図７は、第１開閉部１５１ａと第１係合部１１１ａとが係合している状態を示す。この状態では、表示部ハウジング１５０と光学素子ハウジング１１０とは支持されている。
【００３４】
図８は、第１係合部１１１ａと第１開閉部１５１ａとの係合が解除されている中間の状態を示す。使用者（不図示）は、第１開閉ボタン１１２ａを押下する。後述する機構によりコイルばね１５４は、筒部１５３の内部へ圧縮される。これにより、先端部１５５が後退する。そして、第１係合部１１１ａと第１開閉部１５１ａとの係合が解除される。さらに、使用者が、光学素子ハウジング１１０を引き上げる。これにより、光学素子ハウジング１１０は、図８の矢印で示す上方向へ、表示部ハウジング１５０から離れる方向へ移動する。
【００３５】
図９は、第１係合部１１１ａと第１開閉部１５１ａとの係合が解除されている最終の状態を示す。使用者は、光学素子ハウジング１１０をさらに引き上げる。これにより、光学素子ハウジング１１０は、図９の矢印で示す上方向へ、表示部ハウジング１５０からさらに離れる。そして、第１係合部１１１ａと第１開閉部１５１ａとの係合が全て解除される。ここで、後述するように、コイルばね１５４を後退させていた付勢力が除かれる。これにより、コイルばね１５４は、図７の状態へ戻る。
【００３６】
次に、コイルばね１５４を圧縮する機構について説明する。図１０−１は、第１開閉ボタン１１２ａ近傍の断面構成を示す。第１開閉ボタン１１２ａには、円筒の支持部１１８ａを介して押圧部１１９ａが形成されている。また、支持部１１８ａの内部にはコイルばね（不図示）が設けられている。第１接触部材１２０ａ１と第２接触部材１２０ａ２とが、それぞれコイルばね（不図示）の一端に固着されている。第１接触部材１２０ａ１と第２接触部材１２０ａ２とは、それぞれ個別に第１開閉ボタン１１２ａに対して移動可能に構成されている。押圧部１１９ａと第１接触部材１２０ａ１との間に板状部材１１４が設けられている。同様に、押圧部１１９ａと第２接触部材１２０ａ２との間に板状部材１１５が設けられている。板状部材１１４、１１５は、図２の点線で示すように、それぞれＬ字形状を有している。そして、板状部材１１４は、第１開閉ボタン１１２ａと第２開閉ボタン１１２ｂとの間に設けられている。板状部材１１５は、第１開閉ボタン１１２ａと第４開閉ボタン１１２ｄとの間に設けられている。また、第１接触部材１２０ａ１と第２接触部材１２０ａ２との、図１０−１における下方向には、第１開閉駆動部材１２１ａが設けられている。
【００３７】
図１０−２は、第１開閉ボタン１１２ａを押下した状態の断面構成を示す。第１開閉ボタン１１２ａを押下すると、支持部１１８ａと押圧部１１９ａとが図１０−２の下方向に向かって移動する。そして、押圧部１１９ａは、板状部材１１４、１１５に当接する。第１開閉ボタン１１２ａの押下げ量に従って、板状部材１１４、１１５も図１０−１の下方向へ押し下げられる。さらに、第１接触部１２０ａ１、第２接触部１２０ａ２も第１開閉駆動部材１２１ａに当接する。そして、第１開閉ボタン１１２ａの押下げ量に従って、第１開閉駆動部材１２１ａも図１０−１の下方向へ押し下げられる。
【００３８】
図１１は、第１係合部１１１ａを光学素子ハウジング１１０側から見た構成を示す。板状の第１開閉駆動部材１２１ａは、上述したように図１１における下方向へ、即ちｚ軸方向に沿って移動する。第１開閉駆動部材１２１ａの第１開閉ボタン１１２ａとは反対側の端部１２３は、押下げられることにより、板状の第２開閉駆動部材１２２ａの端部１２４に当接する。そして、第１開閉駆動部材１２１ａのｚ軸に沿った矢印Ａ１方向の移動は、第２開閉駆動部材１２２ａのｙ軸に沿った矢印Ａ２方向の移動に変換される。また、第１係合部１１１ａには、板状の第２開閉駆動部材１２２ａが挿入できるような切欠き部１２５が形成されている。
【００３９】
図１２は、第１係合部１１１ａと第１開閉部１５１ａとをｚ軸方向から見た断面構成を示す。図１２では、第２開閉駆動部材１２２ａが、第１係合部１１１ａに対して切欠き部１２５から挿入されている状態を示す。第２開閉駆動部材１２２ａの先端部は略台形形状に形成されている。そして、第２開閉駆動部材１２２ａが矢印Ａ２方向に移動するとき、その先端部は第１開閉部１５１ａの先端部１５５を図１２において右方向及び左方向へ押圧する。これにより、コイルばね１５４は圧縮される。そして、第２開閉駆動部材１２２ａが第１係合部１１１ａの内周に突き当たるまで挿入される。ここで、第２開閉駆動部材１２２ａの幅Ｗは、第１係合部１１１ａの幅と略等しい。これにより、第１開閉部１５１ａの先端部１５５は、第１開閉部１１１ａとの係合が解除される位置まで後退する。この結果、第１係合部１１１ａと第１開閉部１５１ａとの支持が解除される。
【００４０】
図１０−２で示したように、第１開閉ボタン１１２ａが押下されると、板状部材１１５が図１０−２の矢印で示す下方向へ移動する。図１０−３は、第４開閉ボタン１１２ｄ近傍の断面構成を示す。下方向へ移動した板状部材１１５は、第１接触部１２０ｄ１に当接する。そして、さらに板状部材１１５が下方向へ移動すると、第１開閉駆動部材１２１ｄも図１０−３の下方向へ移動する。そして、図１１、図１２で説明した第１係合部１１１ａと第１開閉部１５１ａとの係合が解除されるときと同一の機構により、第４係合部１１１ｄと第４開閉部１５１ｄとの係合が解除される。
【００４１】
また、第１開閉ボタン１１１ａが押下されると、板状部材１１５が図１０−２の矢印で示す下方向へ移動する。このため、第１開閉ボタン１１１ａの押下による板状部材１１５の下方向の移動が、第２係合部１１１ｂと第２開閉部１５１ｂとの係合を解除する機構へ伝達される。この結果、図１１、図１２で説明した第１係合部１１１ａと第１開閉部１５１ａとの係合が解除されるときと同一の機構により、第２係合部１１１ｂと第２開閉部１５１ｂとの係合が解除される。
【００４２】
さらに、図１０−３で示すように、第１接触部１２０ｄ１と第２接触部１２０ｄ２とは、別個に独立して移動できる。このため、第１開閉ボタン１１２ａを押下しても、板状部材１１７と第２接触部１２０ｄ２とは移動しない。図２で示したように、板状部材１１７は、第３開閉ボタン１１２ｃと第４開閉ボタン１１２ｄとの間に形成されている。さらに、同様に、第１開閉ボタン１１２ａを押下しても、板状部材１１６は移動しない。板状部材１１６は、第２開閉ボタン１１２ｂと第３開閉ボタン１１２ｃとの間に設けられている。この結果、第１開閉ボタン１１２ａが押下されたとき、第３係合部１１１ｃと第３開閉部１５１ｃとの係合は維持されたままの状態となる。従って、第１開閉ボタン１１２ａを押下すると、表１に掲げたような支持、支持解除の状態とすることができる。
【００４３】
また、各係合部１１１ａ、１１１ｂ、１１１ｃ、１１１ｄと、各開閉部１５１ａ、１５１ｂ、１５１ｃ、１５１ｄとのいずれか一方には切欠き部が形成されている。また、他の一方には、切欠き部に係合する凸部が形成されている。凸部は、ばね、ゴム等の弾性部材で付勢されている。光学素子ハウジング１００を引き上げるとき、凸部が切欠き部に係合した状態で、使用者はクリック感を認識できる。このとき、光学ハウジング１１０は開いたままの状態を維持できる。
【００４４】
また、小型表示装置１００を閉じるときは、使用者は、凸部が切欠き部から外れる程度の力で、光学素子ハウジング１１０を表示部ハウジング１５０の方向へ押し下げる。光学素子ハウジング１１０は、表示部ハウジング１５０の方向へ近づくように動く。そして、例えば、第１係合部１１１ａと第１開閉部１５１ａの先端部１５５とが当接する。先端部１５５には圧力センサ（不図示）が設けられている。圧力センサにより、第１係合部１１１ａが先端部１５５に当接したことが検出される。制御部（不図示）は、ばね圧縮部（不図示）へ信号を送る。ばね圧縮部は、コイルばね１５４を圧縮する。この結果、光学素子ハウジング１１０と表示部ハウジング１５０とが略密着するように閉じることができる。なお、圧力センサを用いることなしに、第１係合部１１１ａが押す力により、コイルばね１５４を圧縮することもできる。いずれの構成においても、コイルばね１５４のばね定数は、支持状態または支持を解除する状態で適切な定数に設定することが望ましい。
【００４５】
上述の図３、４、５、６では、理解の容易のため、小型表示装置１００の位置を固定して、使用者ＯＢＳの位置を可変にして説明している。しかしながら、実際の使用態様では、使用者ＯＢＳに対して、小型表示装置１００を、例えば４つの異なる方向のいずれか一つにおいて使用する。このため、映像や文字情報等の電子情報を表示するとき、使用者ＯＢＳから見て、上・下・右・左の方向が正しく表示されることが望ましい。本実施例では、小型表示装置１００は、重力センサ（不図示）を備えている。そして、重力センサは、小型表示装置１００の方向、傾きから、把持されている姿勢を検出する。そして、小型表示装置１００の使用方向に関わらず、使用者ＯＢＳから見た上・下・右・左の方向と、使用者ＯＢＳに認識される画像等の上・下・右・左の方向とが一致するように情報を表示する。これにより、使用者ＯＢＳは、常に、正しい方向に正立して表示されている画像等を認識できる。
【００４６】
（変形例）
上述した実施例１では、例えば第１係合部１１１ａと第１開閉部１５１ａとの支持、または支持解除を、第１開閉ボタン１１２ａの押下による機械的な部材の移動により行なっている。これに対して、本変形例に係る小型表示装置２００では、第１開閉ボタン１１１ａ、第２開閉ボタン１１１ｂ、第３開閉ボタン１１１ｃ、第４開閉ボタン１１１ｄのＯＮ、ＯＦＦ情報に基づいて電気的な信号処理により、例えば第１係合部１１１ａと第１開閉部１５１ａとの支持、または支持解除を行なう点が異なる。実施例１と同一の部分には同一の符号を付し、重複する説明は省略する。
【００４７】
図１３−１、１３−２は、本変形例の第１係合部１１１ａと第１開閉部１５１ａとの近傍の断面構成を示す。他の各係合部と他の各開閉部との構成は、第１係合部１１１ａと第１開閉部１５１ａと同一である。このため、第１係合部１１１ａと第１開閉部１５１ａとを代表例にして説明する。
【００４８】
図１３−１は、第１係合部１１１ａと第１開閉部１５１ａとが係合して、支持されている状態を示す。第１係合部１１１ａは、実施例１と同様に円筒形状である。第１開閉部１５１ａは、駆動部材２５３とシャフト部２５４と先端部２５５とから構成される。駆動部材２５３は、シャフト部２５４を、第１の位置と第２の位置とに移動させる。図１３−１は、シャフト部２５４が第１の位置の状態を示す。シャフト部２５４が第１の位置の状態では、先端部２５５は第１係合部１１１ａに係合している。これにより、第１係合部１１１ａと第１開閉部１５１ａとは支持される。
【００４９】
図１３−２は、シャフト部２５４が第２の位置の状態を示す。シャフト部２５４が第２の位置の状態では、先端部２５５は図１３−２の矢印へ示す方向へ移動する。このため、先端部２５５と第１係合部１１１ａとの係合が解除される。これにより、第１係合部１１１ａとの支持が解除される。駆動部材２５３は、例えば、小型モータ、ソレノイド等を用いることができる。
【００５０】
制御部（不図示）は、第１開閉ボタン１１１ａが押されてＯＮとなったことを検出する。そして、制御部は、表１に掲げたように、第１開閉部１５１ａと第１係合部１１１ａとの支持を解除するように駆動部材２５３を制御する。また、制御部は、第２開閉部１５１ｂと第２係合部１１１ｂとの支持を解除するように駆動部材２５３を制御する。さらに、制御部は、第４開閉部１５１ｄと第４係合部１１１ｄとの支持を解除するように駆動部材２５３を制御する。これに対して、制御部は、第３開閉部１５１ｃと第３係合部１１１ｃとは支持するように駆動部材２５３を制御する。
【００５１】
これにより、光学素子ハウジング１１０と表示部ハウジング１５０とは、第３係合部１１１ｃと第３開閉部１５１ｃとで支持される。この結果、使用者ＯＢＳは、光学素子ハウジング１１０を引き上げることにより、図３に示すような状態で小型表示装置１００を開くことができる。他の各開閉ボタン１１２ｂ、１１２ｃ、１１２ｄをＯＮしたときは、制御部は、それぞれ表２、３、４に掲げたように各開閉部１５１ａ、１５１ｂ、１５１ｃ、１５１ｄを制御する。これにより、図４、５、６に示すような開閉状態を実現できる。なお、第１開閉ボタン１１２ａ〜第４開閉ボタン１１２ｄまでの４つのボタンのうち、２つ以上のボタンが同時に押下されたときは、支持の解除は行なわず、支持状態を維持する。このため、例えば、２つ以上の各開閉ボタンが誤って押下されたとき、使用者ＯＢＳが小型表示装置１００を開くことを防止できる。
【００５２】
また、小型表示装置１００を閉じるときは、使用者は光学素子ハウジング１１０を表示部ハウジング１５０の方向へ押し下げる。光学素子ハウジング１１０が表示部ハウジング１５０の方向へ近づくように動く。そして、例えば、第１係合部１１１ａと第１開閉部１５１ａの先端部２５５とが当接する。先端部２５５には圧力センサ（不図示）が設けられている。圧力センサにより、第１係合部１１１ａと先端部２５５とが当接したことが検出される。制御部（不図示）は、駆動部材２５３へ制御信号を送る。これにより、シャフト部２５４は、図１３−２で示す矢印方向へ移動する。この結果、光学素子ハウジング１１０と表示部ハウジング１５０とが略密着するように閉じることができる。
【００５３】
これにより、光学素子１１３は、情報表示部１５２に対して、４つの異なる位置で支持された固定の状態となる。このように、４箇所の脱着部のいずれか一つを支持状態、他方を支持解除状態とすることができる。従って、光学素子ハウジング１１０を４つの方向に開くことができる。これにより、本小型表示装置１００は、予め決められている使用方向に限定されることがない。この結果、小型表示装置１００によれば、使用する方向の自由度が高いという効果を奏する。
【実施例２】
【００５４】
図１４は、実施例２に係る小型表示装置３００の斜視構成を示す。上記実施例１では、光学素子１１３として、半透過光学素子を用いている。これに対して、本実施例では、光学素子１１３の代わりに、反射ミラー３１３を用いている点が異なる。上記実施例１と同一の部分には同一の符号を付し、重複する説明は省略する。反射ミラー３１３は、情報表示部１５２からの光Ｌｐを使用者ＯＢＳの方向へ反射する。例えば、反射ミラー３１３の表面に拡大機能を有するようなフレネルレンズを形成しておく。これにより、使用者ＯＢＳは、情報表示部１５２に表示された画像等を拡大して観察できる。
【００５５】
図１５は、本実施例の小型表示装置３００をｚ軸方向から見た正面構成を示す。上記実施例１では、４つのＬ字形状の板状部材１１４、１１５、１１６、１１７を用いている。これに対して、本実施例では、４つの直線形状の板状部材３１４、３１５、３１６、３１７を用いている点が異なる。図１４に示すように、本実施例では、使用者ＯＢＳは、情報表示部１５２からの光のみを観察する。このため、実視野からの光を重畳的に使用者ＯＢＳの方向へ導く必要がない。これにより、光学素子ハウジング１１０を中空の枠体にする必要がない。従って、例えば、第１開閉ボタン１１２ａと第２開閉ボタン１１２ｂとを直線形状の板状部材３１４で連結できる。
【００５６】
これにより、光学素子１１３は、情報表示部１５２に対して、４つの異なる位置で支持された固定の状態となる。このように、４箇所の脱着部のいずれか一つを支持状態、他方を支持解除状態とすることができる。従って、光学素子ハウジング１１０を４つの方向に開くことができる。これにより、本小型表示装置３００は、予め決められている使用方向に限定されることがない。この結果、小型表示装置３００によれば、使用する方向の自由度が高いという効果を奏する。
【００５７】
（変形例）
次に、本実施例の変形例を説明する。図１６−１、１６−２、１６−３は、それぞれ本変形例の断面構成を示す。上記実施例１、実施例２では、光学素子ハウジング１１０は、矩形形状の表示部ハウジング１５０に対して、それぞれ４つの辺を支持中心とて開閉動作を行なうことができる。本実施例では、対向する２辺のみを支持中心とした開閉動作を行なう機構を備えている。
【００５８】
図１６−１は、光学素子ハウジング１１０と表示部ハウジング１５０とが閉じている状態を示す。光学素子ハウジング１１０の図１６−１における右側の端部には第１係合部３１１Ｒが形成されている。光学素子ハウジング１１０の左側の端部には第２係合部３１１Ｌが形成されている。さらに、表示部ハウジング１５０の右側の端部には第１開閉部３５１Ｒが形成されている。表示部ハウジング１５０の左側の端部には第２開閉部３５１Ｌが形成されている。
【００５９】
第１係合部３１１Ｒ、第２係合部３１１Ｌ、第１開閉部３５１Ｒ、第２開閉部３５１Ｌは、それぞれＬ字形状を有している。そして、Ｌ字形状の先端は、例えば、第１係合部３１１Ｒと第１開閉部３５１Ｒとが係合するようなフック状に形成されている。そして、所定の力が加わると、フックどうしの係合が解除されるように構成されている。
【００６０】
ここで、光学素子ハウジング１１０を、図１６−１における左側端部を支持中心にして開くときを考える。図１６−２に示すように、使用者は、光学素子ハウジング１１０を、表示部ハウジング１５０に対して、左側方向（図中の矢印方向）へ移動させる。これにより、右側の第１係合部３１１Ｒと第１開閉部３５１Ｒとの係合が解除される。これに対して、左側の第２係合部３１１Ｌと第２開閉部３５１Ｌとは係合状態を維持している。
【００６１】
このとき、使用者ＯＢＳは、光学素子ハウジング１１０を表示部ハウジング１５０に対して引き上げる。これにより、図１６−３に示すように、光学素子ハウジング１１０は、左側の第２係合部３１１Ｌと第２開閉部３５１Ｌとを支持中心として開くことができる。そして、使用者ＯＢＳは、情報表示部１５２からの光Ｌｐを反射ミラー３１３を介して観察する。
【００６２】
これに対して、図１６−２において、光学素子ハウジング１１０を、表示部ハウジング１５０に対して、右側方向へ移動させる。これにより、左側の第２係合部３１１Ｌと第２開閉部３５１Ｌとの係合が解除される。また、右側の第１係合部３１１Ｒと第１開閉部３５１Ｒとは係合状態を維持している。このとき、使用者ＯＢＳは、光学素子ハウジング１１０を表示部ハウジング１５０に対して引き上げる。これにより、光学素子ハウジング１１０は、右側の第１係合部３１１Ｒと第１開閉部３５１Ｒとを支持中心として開くことができる。そして、使用者ＯＢＳは、情報表示部１５２からの光Ｌｐを反射ミラー３１３を介して観察する。このように、本変形例によれば、開閉ボタンを設けることなく簡易な構成で、対向する２つの方向に開くことができる。
【実施例３】
【００６３】
図１７−１、１７−２は、本発明の実施例３に係る小型表示装置４００の斜視構成を示す。なお、上記実施例１、実施例２と同一の部分には、同一の符号を付し重複する説明は省略する。本実施例の小型表示装置４００は、携帯電話の機能を備えている。小型表示装置４００は、反射ミラー３１３と情報表示部１５２とに加えて、把持部４３０を備えている。また、光学素子ハウジング１１０に対向する２辺に、それぞれ第１係合部１１１ａと第３係合部１１１ｃとが設けられている。また、表示部ハウジング１５０の対向する２辺に、それぞれ第１開閉部１５１ａと第３開閉部１５１ｃとが設けられている。その他の２辺には、係合部、開閉部は設けられていない。このため、本実施例では、光学素子ハウジング１１０は、２つの対向する方向にのみ開くことができる。把持部４３０の一方の面にはテンキー４３１が形成されている。また、表示部ハウジング１５０は、把持部４３０に対して回転軸ＡＸの周りに回転自在に支持されている。なお、情報表示部１５２の上・下・右・左方向の理解を容易するため、三角形の標識部ＭＫを付する。
【００６４】
図１７−１は、使用者ＯＢＳが右利きのときの小型表示装置４００の使用態様を示す。このとき、使用者ＯＢＳは、右手で把持部４３０を把持する。そして、第１開閉ボタン１１２ａを押下する。これにより、第３係合部１１１ｃと第３開閉部１５１ｃとを支持中心として光学素子ハウジング１１０を引き上げることができる。これにより、使用者ＯＢＳは、情報表示部１５２からの光Ｌｐを観察できる。
【００６５】
図１７−２は、使用者ＯＢＳが左利きのときの小型表示装置４００の使用態様を示す。このとき、使用者ＯＢＳは、左手で把持部４３０を把持する。そして、第３開閉ボタン１１２ｃを押下する。これにより、第１係合部１１１ａと第１開閉部１５１ａとを支持中心として光学素子ハウジング１１０を引き上げることができる。これにより、使用者ＯＢＳは、情報表示部１５２からの光Ｌｐを観察できる。図１７−１における標識部ＭＫと、図１７−２における標識部ＭＫとを比較してわかるように、右利きの使用態様と、左利きの使用態様とでは、情報表示部１５２の上・下関係が反転している。このため、情報表示部１５２は、いずれの使用態様でも使用者ＯＢＳが正立した画像等を認識できるように、情報を表示することが望ましい。また、本実施例において、光学素子として半透過光学素子を用いることもできる。このとき、小型表示装置４００は、いわゆるシースルービュアーとして機能する。
【００６６】
これにより、反射ミラー３１３は、情報表示部１５２に対して、２つの異なる位置で支持された固定の状態となる。このように、２箇所の脱着部のいずれかを支持状態、他方を支持解除状態とすることができる。これにより、本小型表示装置４００は、予め決められている使用方向に限定されることがない。この結果、小型表示装置４００によれば、使用する方向の自由度が高いという効果を奏する。
【００６７】
（変形例）
上述した実施例１、実施例２、実施例３では、第１係合部１１１ａ、第２係合部１１１ｂ、第３係合部１１１ｃ、第４係合部１１１ｄは、矩形形状の光学素子ハウジング１１０の外周面に形成されている。同様に、第１開閉部１５１ａ、第２開閉部１５１ｂ、第３開閉部１５１ｃ、第４開閉部１５１ｄは、矩形形状の表示部ハウジング１５０の外周面に形成されている。しかしながら、各係合部と各開閉部とを設ける位置は、これに限られない。例えば、図１８に示す小型表示装置５００のように、矩形形状の光学素子ハウジング１１０の内周面に第１係合部１１１ａ、第２係合部１１１ｂ、第３係合部１１１ｃ、第４係合部１１１ｄを形成できる。このとき、矩形形状の表示部ハウジング１５０の内周面の対応する位置に、第１開閉部１５１ａ、第２開閉部１５１ｂ、第３開閉部１５１ｃ、第４開閉部１５１ｄを形成する。また、第１開閉ボタン１１２ａ、第２開閉ボタン１１２ｂ、第３開閉ボタン１１２ｃ、第４開閉ボタン１１２ｄも、光学素子ハウジング１１０の外周側面に設けることもできる。その際、一部の開閉ボタンを図１の位置に配置し、残りの開閉ボタンを側面に配置しても良い。このように、各開閉ボタン、各係合部、各開閉部を設ける位置は、それぞれの機能を発揮できれば、いずれの位置でも良い。
【実施例４】
【００６８】
図１９は、本発明の実施例４に係る小型表示装置６００の斜視構成を示す。上記実施例１では、小型表示装置１００は、光学素子ハウジング１１０と表示部ハウジング１５０とから構成されている。これに対して、本実施例では、光学素子ハウジング６１０と表示部ハウジング６５０との間に、さらに支持部ハウジング６８０が設けられている点が異なる。上記実施例１と同一の部分には同一の符号を付し、重複する説明は省略する。なお、図１９では理解の容易のため、光学素子ハウジング６１０と、支持部ハウジング６８０と、表示部ハウジング６５０とを、それぞれ空間的に離して示している。
【００６９】
矩形形状の光学素子ハウジング６１０の外周の四辺にそれぞれ第１係合部６１１ａと、第２係合部６１１ｂと、第３係合部６１１ｃと、第４係合部６１１ｄとが設けられている。矩形形状の支持部ハウジング６８０の外周面のそれぞれ対応する位置に、第１開閉部６８１ａと、第２開閉部６８１ｂと、第３開閉部６８１ｃと、第４開閉部６８１ｄとが設けられている。また、矩形形状の支持部ハウジング６８０の外周面には、さらに、第５係合部６９１ａと、第６係合部６９１ｂと、第７係合部６９１ｃと、第８係合部６９１ｄとが設けられている。そして、矩形形状の表示部ハウジング６５０の外周面のそれぞれ対応する位置に、第５開閉部６５１ａと、第６開閉部６５１ｂと、第７開閉部６５１ｃと、第８開閉部６５１ｄとが設けられている。
【００７０】
第１開閉ボタン１１２ａを押下したときの、脱着部の支持または支持解除の関係を表５に掲げる。なお、第１開閉ボタン１１２ａを押下したとき、各係合部、各開閉部は、実施例１の変形例で説明したように、電気的な信号制御で支持、支持解除が行なわれる。
【００７１】
（表５）
第１開閉ボタン１１２ａを押下したとき：
第１係合部６１１ａと第１開閉部６８１ａとの関係・・・支持解除
第２係合部６１１ｂと第２開閉部６８１ｂとの関係・・・支持解除
第３係合部６１１ｃと第３開閉部６８１ｃとの関係・・・支持
第４係合部６１１ｄと第４開閉部６８１ｄとの関係・・・支持解除
第５係合部６９１ａと第５開閉部６５１ａとの関係・・・支持
第６係合部６９１ｂと第６開閉部６５１ｂとの関係・・・支持解除
第７係合部６９１ｃと第７開閉部６５１ｃとの関係・・・支持解除
第８係合部６９１ｄと第８開閉部６５１ｄとの関係・・・支持解除
【００７２】
図２０は、第１開閉ボタン１１２ａを押下したときの開閉状態を示す。図２０に示すように、光学素子ハウジング６１０と支持部ハウジング６８０とは、第３係合部６１１ｃと第３開閉部６８１ｃとにより支持される。また、支持部ハウジング６８０と表示部ハウジング６５０とは、第５係合部６９１ａと第５開閉部６５１ａとにより支持される。その他の係合は全て解除される。そして、使用者ＯＢＳは、光学素子ハウジング６１０を図２０の上方向に引き上げる。これにより、光学素子ハウジング６１０は、第３係合部６１１ｃと第３開閉部６８１ｃとで支持され、かつ第５係合部６９１ａと第５開閉部６５１ａとで支持された状態で、表示部ハウジング６５０に対して開いた状態となる。本実施例の光学素子（不図示）は、反射ミラーである。このため、観察者は、情報表示部１５２からの光Ｌｐを反射ミラーを介して観察できる。
【００７３】
第２開閉ボタン１１２ｂを押下したときの、脱着部の支持または支持解除の関係を表６に掲げる。
【００７４】
（表６）
第２開閉ボタン１１２ｂを押下したとき：
第１係合部６１１ａと第１開閉部６８１ａとの関係・・・支持解除
第２係合部６１１ｂと第２開閉部６８１ｂとの関係・・・支持解除
第３係合部６１１ｃと第３開閉部６８１ｃとの関係・・・支持解除
第４係合部６１１ｄと第４開閉部６８１ｄとの関係・・・支持
第５係合部６９１ａと第５開閉部６５１ａとの関係・・・支持解除
第６係合部６９１ｂと第６開閉部６５１ｂとの関係・・・支持
第７係合部６９１ｃと第７開閉部６５１ｃとの関係・・・支持解除
第８係合部６９１ｄと第８開閉部６５１ｄとの関係・・・支持解除
【００７５】
図２１は、第２開閉ボタン１１２ａを押下したときの開閉状態を示す。図２１に示すように、光学素子ハウジング６１０と支持部ハウジング６８０とは、第４係合部６１１ｄと第４開閉部６８１ｄとにより支持される。また、支持部ハウジング６８０と表示部ハウジング６５０とは、第６係合部６９１ｂと第６開閉部６５１ｂとにより支持される。その他の係合は全て解除される。そして、使用者ＯＢＳは、光学素子ハウジング６１０を図２１の上方向に引き上げる。これにより、光学素子ハウジング６１０は、第４係合部６１１ｄと第４開閉部６８１ｄとで支持され、かつ第６係合部６９１ｂと第６開閉部６５１ｂとで支持された状態で、表示部ハウジング６５０に対して開いた状態となる。
【００７６】
第３開閉ボタン１１２ｃを押下したときの、脱着部の支持または支持解除の関係を表７に掲げる。
【００７７】
（表７）
第３開閉ボタン１１２ｃを押下したとき：
第１係合部６１１ａと第１開閉部６８１ａとの関係・・・支持
第２係合部６１１ｂと第２開閉部６８１ｂとの関係・・・支持解除
第３係合部６１１ｃと第３開閉部６８１ｃとの関係・・・支持解除
第４係合部６１１ｄと第４開閉部６８１ｄとの関係・・・支持解除
第５係合部６９１ａと第５開閉部６５１ａとの関係・・・支持解除
第６係合部６９１ｂと第６開閉部６５１ｂとの関係・・・支持解除
第７係合部６９１ｃと第７開閉部６５１ｃとの関係・・・支持
第８係合部６９１ｄと第８開閉部６５１ｄとの関係・・・支持解除
【００７８】
図２２は、第３開閉ボタン１１２ｃを押下したときの開閉状態を示す。図２２に示すように、光学素子ハウジング６１０と支持部ハウジング６８０とは、第１係合部６１１ａと第１開閉部６８１ａとにより支持される。また、支持部ハウジング６８０と表示部ハウジング６５０とは、第７係合部６９１ｃと第７開閉部６５１ｃとにより支持される。その他の係合は全て解除される。そして、使用者ＯＢＳは、光学素子ハウジング６１０を図２２の上方向に引き上げる。これにより、光学素子ハウジング６１０は、第１係合部６１１ａと第１開閉部６８１ａとで支持され、かつ第７係合部６９１ｃと第７開閉部６５１ｃとで支持された状態で、表示部ハウジング６５０に対して開いた状態となる。
【００７９】
第４開閉ボタン１１２ｃを押下したときの、脱着部の支持または支持解除の関係を表８に掲げる。
【００８０】
（表８）
第４開閉ボタン１１２ｄを押下したとき：
第１係合部６１１ａと第１開閉部６８１ａとの関係・・・支持解除
第２係合部６１１ｂと第２開閉部６８１ｂとの関係・・・支持
第３係合部６１１ｃと第３開閉部６８１ｃとの関係・・・支持解除
第４係合部６１１ｄと第４開閉部６８１ｄとの関係・・・支持解除
第５係合部６９１ａと第５開閉部６５１ａとの関係・・・支持解除
第６係合部６９１ｂと第６開閉部６５１ｂとの関係・・・支持解除
第７係合部６９１ｃと第７開閉部６５１ｃとの関係・・・支持解除
第８係合部６９１ｄと第８開閉部６５１ｄとの関係・・・支持
【００８１】
図２３は、第４開閉ボタン１１２ｄを押下したときの開閉状態を示す。図２３に示すように、光学素子ハウジング６１０と支持部ハウジング６８０とは、第２係合部６１１ｂと第２開閉部６８１ｂとにより支持される。また、支持部ハウジング６８０と表示部ハウジング６５０とは、第８係合部６９１ｄと第８開閉部６５１ｄとにより支持される。その他の係合は全て解除される。そして、使用者ＯＢＳは、光学素子ハウジング６１０を図２３の上方向に引き上げる。これにより、光学素子ハウジング６１０は、第２係合部６１１ｂと第２開閉部６８１ｂとで支持され、かつ第８係合部６９１ｄと第８開閉部６５１ｄとで支持された状態で、表示部ハウジング６５０に対して開いた状態となる。
【００８２】
これにより、光学素子は、情報表示部１５２に対して、支持部ハウジング６８０を介して、８つの異なる位置で支持された固定の状態となる。このように、８箇所の脱着部のいずれかを支持状態、他方を支持解除状態とすることができる。これにより、本小型表示装置６００は、予め決められている使用方向に限定されることがない。この結果、小型表示装置６００によれば、使用する方向の自由度が高いという効果を奏する。
【００８３】
なお、上記各実施例において、表示部ハウジングの裏面にテンキーや操作キーを設ける構成とすることもできる。また、表示部ハウジングに対して、折りたたんだ部材にテンキーや操作キーを形成しても良い。このときは、折りたたんだ部材を開くことでテンキーや操作キーを使用する。
【００８４】
以上説明したように、本発明は、係合部と開閉部とからなる脱着部は、少なくとも第１の位置と第２の位置との異なる２箇所に設けられていれば良い。これにより、光学素子を、少なくとも異なる２方向に開くことができる。このように、本発明は、その趣旨を逸脱しない範囲で、種々の変形例をとることができる。
【産業上の利用可能性】
【００８５】
以上のように、本発明は、使用する方向の自由度が高い小型表示装置に有用である。
【図面の簡単な説明】
【００８６】
【図１】実施例１に係る小型表示装置の斜視構成を示す図である。
【図２】実施例１に係る小型表示装置の正面構成を示す図である。
【図３】実施例１に係る小型表示装置の使用態様を示す図である。
【図４】実施例１に係る小型表示装置の他の使用態様を示す図である。
【図５】実施例１に係る小型表示装置のさらに他の使用態様を示す図である。
【図６】実施例１に係る小型表示装置の別の使用態様を示す図である。
【図７】実施例１の係合部近傍の構成を示す図である。
【図８】実施例１の係合部近傍の他の構成を示す図である。
【図９】実施例１の係合部近傍のさらに他の構成を示す図である。
【図１０−１】実施例１の開閉ボタン近傍の構成を示す図である。
【図１０−２】実施例１の開閉ボタン近傍の他の構成を示す図である。
【図１０−３】実施例１の開閉ボタン近傍のさらに他の構成を示す図である。
【図１１】実施例１の係合部近傍の斜視構成を示す図である。
【図１２】実施例１の係合部近傍の正面構成を示す図である。
【図１３−１】実施例１の変形例の係合部近傍の構成を示す図である。
【図１３−２】実施例１の変形例の係合部近傍の他の構成を示す図である。
【図１４】実施例２に係る小型表示装置の斜視構成を示す図である。
【図１５】実施例２に係る小型表示装置の正面構成を示す図である。
【図１６−１】実施例２の変形例の小型表示装置の断面構成を示す図である。
【図１６−２】実施例２の変形例の小型表示装置の他の断面構成を示す図である。
【図１６−３】実施例２の変形例の小型表示装置のさらに他の断面構成を示す図である。
【図１７−１】実施例３の小型表示装置の斜視構成を示す図である。
【図１７−２】実施例３の小型表示装置の他の斜視構成を示す図である。
【図１８】実施例１等に係る小型表示装置の変形例を示す図である。
【図１９】実施例４に係る小型表示装置の斜視構成を示す図である。
【図２０】実施例４に係る小型表示装置の使用態様を示す図である。
【図２１】実施例４に係る小型表示装置の他の使用態様を示す図である。
【図２２】実施例４に係る小型表示装置のさらに他の使用態様を示す図である。
【図２３】実施例４に係る小型表示装置の別の使用態様を示す図である。
【符号の説明】
【００８７】
１００  小型表示装置
１１０  光学素子ハウジング
１１１ａ  第１係合部
１１１ｂ  第２係合部
１１１ｃ  第３係合部
１１１ｄ  第４係合部
１１３  光学素子
１１４、１１５、１１６、１１７  板状部材
１１８ａ、１１８ｄ  支持部
１２３  端部
１２４  端部
１２５  切欠き部
１１９ａ  押圧部
１５０  表示部ハウジング
１５１ａ  第１開閉部
１５１ｂ  第２開閉部
１５１ｃ  第３開閉部
１５１ｄ  第４開閉部
１５２  情報表示部
１５３  筒部
１５４  コイルばね
１５５  先端部
２００  小型表示装置
２５３  駆動部材
２５４  シャフト部
２５５  先端部
３１３  反射ミラー
３１４、３１５、３１６、３１７  板状部材
３１１Ｒ  第１係合部
３１１Ｌ  第２係合部
３５１Ｒ  第１開閉部
３５１Ｌ  第１開閉部
４００  小型表示装置
４３０  把持部
４３１  テンキー
５００  小型表示装置
６００  小型表示装置
６１０  光学素子ハウジング
６１１ａ  第１係合部
６１１ｂ  第２係合部
６１１ｃ  第３係合部
６１１ｄ  第４係合部
６５０  表示部ハウジング
６５１ａ  第５開閉部
６５１ｂ  第６開閉部
６５１ｃ  第７開閉部
６５１ｄ  第８開閉部
６８０  支持部ハウジング
６８１ａ  第１開閉部
６８１ｂ  第２開閉部
６８１ｃ  第３開閉部
６８１ｄ  第４開閉部
６９１ａ  第５係合部
６９１ｂ  第６係合部
６９１ｃ  第７係合部
６９１ｄ  第８係合部
【図１】
2006119167.tif 000003
【図２】
2006119167.tif 000004
【図３】
2006119167.tif 000005
【図４】
2006119167.tif 000006
【図５】
2006119167.tif 000007
【図６】
2006119167.tif 000008
【図７】
2006119167.tif 000009
【図８】
2006119167.tif 000010
【図９】
2006119167.tif 000011
【図１０−１】
2006119167.tif 000012
【図１０−２】
2006119167.tif 000013
【図１０−３】
2006119167.tif 000014
【図１１】
2006119167.tif 000015
【図１２】
2006119167.tif 000016
【図１３−１】
2006119167.tif 000017
【図１３−２】
2006119167.tif 000018
【図１４】
2006119167.tif 000019
【図１５】
2006119167.tif 000020
【図１６−１】
2006119167.tif 000021
【図１６−２】
2006119167.tif 000022
【図１６−３】
2006119167.tif 000023
【図１７−１】
2006119167.tif 000024
【図１７−２】
2006119167.tif 000025
【図１８】
2006119167.tif 000026
【図１９】
2006119167.tif 000027
【図２０】
2006119167.tif 000028
【図２１】
2006119167.tif 000029
【図２２】
2006119167.tif 000030
【図２３】
2006119167.tif 000031